(57)【特許請求の範囲】
【請求項１】
プロセッサによって実行可能な命令を有する少なくとも１つの非一時的コンピュータ可読記憶媒体を備えた装置であって、前記命令は、前記プロセッサを、
複数のシーンを含むコンテンツを受け取り、
前記複数のシーン内の第１のシーンについて、該第１のシーンに関連する第１の筋書き情報を受け取り、
前記複数のシーン内の第２のシーンについて、前記第１の筋書き情報とは異なる、前記第２のシーンに関連する第２の筋書き情報を受け取り、
前記第１の筋書き情報を前記第１のシーンと共に提示し、
前記第２の筋書き情報を前記第２のシーンと共に提示し、
前記第１のシーンの再生中に制御装置から第１及び第２の情報コマンドを受け取り、
前記第１及び第２の情報コマンドに応答して、前記第１の筋書き情報をディスプレイ上に提示し、さらに、前記第１の情報コマンドを受け取った後の所定の時間内に前記第２の情報コマンドを受け取ったとの判断のみに応答して、前記第１及び第２の情報コマンドに応答して前記第１の筋書き情報を提示し、
前記制御装置から第３、第４及び第５の情報コマンドを受け取り、
前記第３、第４及び第５の情報コマンドに応答して、選択可能な筋書きテーマのリストを提示し、選択時に、前記リストから選択された筋書きテーマに関連する前記テーマに関する拡張された筋書き情報を前記プロセッサに提示する、
ように構成され、
前記リストにおける選択可能な筋書きテーマは、現在のシーンに関連している、ことを特徴とする装置。
【請求項２】
前記プロセッサを備える、
請求項１に記載の装置。
【請求項３】
前記コンテンツを提示するように前記プロセッサによって制御可能な少なくとも１つのディスプレイを備える、
請求項１に記載の装置。
【請求項４】
プロセッサによって実行可能な命令を有する少なくとも１つの非一時的コンピュータ可読記憶媒体を備えた装置であって、前記命令は、前記プロセッサを、
前記プロセッサがディスプレイ上に提示できるビデオ内の複数のシーンに関する情報を受け取ってビデオの筋書きの認知的把握を改善し、従って前記ビデオの視聴者が前記ビデオの筋書きをたどるのを支援し、
少なくとも１つの情報コマンドを受け取り、
前記情報コマンドに応答して、現在再生中のシーンにおける行動に当てはまる、前記現在再生中のシーンに関するテキストを前記ディスプレイ上に提示するように構成され、  前記情報コマンドは、前記現在再生中のシーンの再生中に、制御装置からの第１及び第２の情報信号によって構築され、
前記命令は、前記プロセッサによる実行時に、さらに、該プロセッサを、
前記第１の情報信号を受け取った後の所定の時間内に前記第２の情報信号を受け取ったとの判断のみに応答して、前記第１及び第２の情報信号によって構築された前記情報コマンドに応答して筋書き情報を提示し、
前記制御装置から第３、第４及び第５の情報信号を受け取り、
前記第３、第４及び第５の情報信号に応答して、選択可能な筋書きテーマのリストを提示し、選択時に、前記リストから選択された筋書きテーマに関連する前記テーマに関する拡張された筋書き情報を前記プロセッサに提示する、ように構成され、
前記リストにおける選択可能な筋書きテーマは、現在のシーンに関連している、ことを特徴とする装置。
【請求項５】
前記プロセッサを備える、
請求項４に記載の装置。
【請求項６】
前記ビデオを提示するように前記プロセッサによって制御される前記ディスプレイを備える、
請求項４に記載の装置。
【請求項７】
少なくとも第１及び第２のシーンを含むビデオの前記第１のシーンをディスプレイ上に提示するステップと、
前記第１のシーンに関連して前記第２のシーンに関連しない英数字による第１の筋書き情報を前記第１のシーンと共に前記ディスプレイ上に提示するステップと、
前記第１のシーンの再生中に、制御装置から第１及び第２の情報コマンドを受け取るステップと、
前記第１及び第２の情報コマンドに応答して、前記第１の筋書き情報を前記ディスプレイ上に提示するステップと、
前記第１の情報コマンドを受け取った後の所定の時間内に前記第２の情報コマンドを受け取ったとの判断のみに応答して、前記第１及び第２の情報コマンドに応答して前記第１の筋書き情報を提示するステップと、
前記制御装置から第３、第４及び第５の情報コマンドを受け取るステップと、
前記第３、第４及び第５の情報コマンドに応答して、選択可能な筋書きテーマのリストを提示し、選択時に、前記リストから選択された筋書きテーマに関連する前記テーマに関する拡張された筋書き情報をプロセッサに提示させる、ステップと、
を含み、
前記リストにおける選択可能な筋書きテーマは、現在のシーンに関連している、ことを特徴とする方法。
【請求項８】
前記第２のシーンについて、前記第１の筋書き情報と異なる第２の筋書き情報を提示するステップを含む、
請求項７に記載の方法。
【請求項９】
前記方法は、前記プロセッサによって実行される、
請求項７に記載の方法。
【発明の詳細な説明】
【技術分野】
【０００１】
本出願は、一般に認知機能障害者のためのシーン毎の筋書き背景に関する。
【背景技術】
【０００２】
コンピュータエコシステム又はデジタルエコシステムは、その持続可能性、自動組織性及び拡張性を特徴とする適応的な分散型の社会技術システムである。完全なコンピュータエコシステムは、養分循環及びエネルギーフローを通じて相互作用する生物要素及び非生物要素からなる環境エコシステムに端を発し、場合によってはＳｏｎｙ社などの１つの会社が提供できるハードウェア、ソフトウェア及びサービスで構成することもできる。各コンピュータエコシステムの目的は、望まれる可能性のある全てを、少なくとも部分的にインターネットを介して交換できるサービス及び／又はソフトウェアの形で消費者に提供することである。さらに、コンピューティングクラウド内のアプリケーションなどの、エコシステムの要素間の相互関連性及び共有は、データを体系化してこれにアクセスする能力の向上を消費者にもたらし、それ自体を効率的な統合エコシステムの将来的な特徴として示す。
【０００３】
コンピュータエコシステムには、垂直型コンピュータエコシステム及び水平型コンピュータエコシステムという２つの一般型が存在する。垂直型のアプローチでは、エコシステムの事実上全ての態様が１つの会社に所有されて制御され、互いにシームレスに相互作用するように明確に設計される。一方、水平型エコシステムは、他の団体によって開発されたハードウェア及びソフトウェアなどの態様を１つの統一エコシステムに統合する。水平型のアプローチでは、消費者及びメーカーからのより多くの種類の入力が可能になり、変化する需要に対する新たな革新及び適合の能力が増す。
【発明の概要】
【発明が解決しようとする課題】
【０００４】
ここで関連するエコシステムの例は、コンテンツ配信ネットワークである。本明細書において理解されるように、ストーリー内で以前に出現した名前又は出来事を視聴者が忘れてしまったことにより、ビデオ内で何が起きているか、又はせりふが何に関するものであるかを認識することが困難な時があり得る。遠隔制御装置の「情報」ボタンを単純に押せば、番組全体を要約したあらすじを示すことはできるが、いずれかの特定の時点で何が起きているかは示されない。人によっては、展開に付いていけなくなると、その時間全体にわたって訳が分からなくなることも多い。
【課題を解決するための手段】
【０００５】
従って、装置が、プロセッサによって実行可能な命令を有する少なくとも１つの非一時的コンピュータ可読記憶媒体を含み、この命令が、複数のシーンを含むコンテンツを受け取るようにプロセッサを構成する。この命令は、プロセッサによる実行時に、複数のシーン内の第１のシーンについて、この第１のシーンに関連する第１の筋書き情報を受け取り、同様に複数のシーン内の第２のシーンについて、この第２のシーンに関連する第２の筋書き情報を受け取るようにプロセッサをさらに構成する。第１の筋書き情報は、第２の筋書き情報と異なる。この命令は、プロセッサによる実行時に、第１の筋書き情報を第１のシーンと共に提示し、第２の筋書き情報を第２のシーンと共に提示するようにプロセッサを構成する。
【０００６】
いくつかの実装では、装置が、プロセッサ、及び／又はコンテンツを提示するようにプロセッサによって制御可能な少なくとも１つのディスプレイを含むことができる。
【０００７】
いくつかの例では、命令が、プロセッサによる実行時に、第１のシーンの再生中に制御装置から第１及び第２の情報コマンドを受け取り、この第１及び第２の情報コマンドに応答して、第１の筋書き情報をディスプレイ上に提示するようにプロセッサを構成する。必要に応じて、この命令は、プロセッサによる実行時に、第１の情報コマンドを受け取った後の所定の時間内に第２の情報コマンドを受け取ったとの判断のみに応答して、第１及び第２の情報コマンドに応答して第１の筋書き情報を提示するようにプロセッサを構成することができる。さらに、この命令は、プロセッサによる実行時に、制御装置から第１、第２及び第３の情報コマンドを受け取り、この第１、第２及び第３の情報コマンドに応答して、選択可能な筋書きテーマのリストを提示するようにプロセッサを構成することができ、このリストは、選択時に、リストから選択された筋書きテーマに関連するテーマに関する拡張された筋書き情報をプロセッサに提示させる。
【０００８】
別の態様では、装置が、プロセッサによって実行可能な命令を有する少なくとも１つのコンピュータ可読記憶媒体を含み、この命令は、プロセッサがディスプレイ上に提示できるビデオ内の複数のシーンに関する情報を受け取ってビデオの筋書きの認知的把握を改善し、従ってビデオの視聴者がビデオの筋書きをたどるのを支援するようにプロセッサを構成する。この命令は、プロセッサによる実行時に、少なくとも１つの情報コマンドを受け取り、この情報コマンドに応答して、現在再生中のシーンにおける行動に当てはまる、現在再生中のシーンに関するテキストをディスプレイ上に提示するようにプロセッサを構成する。
【０００９】
別の態様では、方法が、少なくとも第１及び第２のシーンを含むビデオの第１のシーンをディスプレイ上に提示するステップと、この第１のシーンに関連して第２のシーンに関連しない英数字による筋書き情報を第１のシーンと共にディスプレイ上に提示するステップとを含む。
【００１０】
本発明の詳細は、その構造及び動作の両方について、同様の要素を同じ参照符号で示す添付図面を参照して最も良く理解することができる。
【図面の簡単な説明】
【００１１】
【図１】本原理による例を含むシステム例のブロック図である。
【図２】本原理によるロジック例のフローチャートである。
【図３】本原理によるユーザインターフェイス（ＵＩ）例のスクリーンショットである。
【図４】本原理によるユーザインターフェイス（ＵＩ）例のスクリーンショットである。
【発明を実施するための形態】
【００１２】
本開示は、一般に、コンピュータエコシステム内の消費者電子（ＣＥ）装置に基づくユーザ情報の態様を含むコンピュータエコシステムに関する。本明細書のシステムは、互いにデータを交換できるようにネットワークを介して接続されたサーバコンポーネント及びクライアントコンポーネントを含むことができる。クライアントコンポーネントは、ポータブルテレビ（例えば、スマートＴＶ、インターネット対応ＴＶ）、ラップトップコンピュータ及びタブレットコンピュータなどのポータブルコンピュータ、並びにスマートフォン及び後述するさらなる例を含むその他のモバイル装置を含む１又は２以上のコンピュータ装置を含むことができる。これらのクライアント装置は、様々な動作環境で動作することができる。例えば、クライアントコンピュータの一部は、一例として、Ｍｉｃｒｏｓｏｆｔ社製のオペレーティングシステム、又はＵｎｉｘオペレーティングシステム、或いはＡｐｐｌｅ社又はＧｏｏｇｌｅ社製のオペレーティングシステムを使用することができる。これらの動作環境を用いて、Ｍｉｃｒｏｓｏｆｔ社又はＧｏｏｇｌｅ社又はＭｏｚｉｌｌａ又はその他のブラウザプログラムによって作製された、後述するインターネットサーバによってホストされるウェブアプリケーションにアクセスできるブラウザなどの１又は２以上のブラウジングプログラムを実行することができる。
【００１３】
サーバは、インターネットなどのネットワークを介してデータを送受信するようにサーバを構成する命令を実行する１又は２以上のプロセッサを含むことができる。或いは、ローカルイントラネット又は仮想プライベートネットワークを介してクライアントとサーバを接続することもできる。サーバ又はコントローラは、Ｓｏｎｙ  Ｐｌａｙｓｔａｔｉｏｎ（登録商標）などのゲーム機、パーソナルコンピュータなどによって例示することもできる。
【００１４】
クライアントとサーバの間では、ネットワークを介して情報を交換することができる。この目的及びセキュリティのために、サーバ及び／又はクライアントは、ファイヤウォール、ロードバランサ、一時記憶装置、及びプロキシ、並びに信頼性及びセキュリティを高めるその他のネットワークインフラを含むことができる。１又は２以上のサーバは、ネットワークメンバにオンラインソーシャルウェブサイトなどのセキュアなコミュニティを提供する方法を実装する装置を形成することができる。
【００１５】
本明細書で使用する命令とは、システム内で情報を処理するためのコンピュータ実行ステップを意味する。命令は、ソフトウェア、ファームウェア、又はハードウェアに実装することができ、システムのコンポーネントが行うあらゆるタイプのプログラムステップを含むことができる。
【００１６】
プロセッサは、アドレス回線、データ回線及び制御回線などの様々な回線、並びにレジスタ及びシフトレジスタによってロジックを実行できるいずれかの従来の汎用シングルチップ又はマルチチッププロセッサとすることができる。
【００１７】
フローチャートによって記述されるソフトウェアモジュール、及び本明細書におけるユーザインターフェイスは、様々なサブルーチン、手続きなどを含むことができる。本開示を限定することなく、特定のモジュールによって実行されるものとして開示するロジックは、他のソフトウェアモジュールに再分配し、及び／又は単一のモジュールに組み合わせ、及び／又は共有可能なライブラリ内で利用することができる。
【００１８】
本明細書で説明する本原理は、ハードウェア、ソフトウェア、ファームウェア、又はこれらの組み合わせとして実装することができ、従って例示的なコンポーネント、ブロック、モジュール、回路及びステップについては、これらの機能面から説明する。
【００１９】
上記で示唆したものに加え、以下で説明する論理ブロック、モジュール及び回路は、汎用プロセッサ、デジタルシグナルプロセッサ（ＤＳＰ）、フィールドプログラマブルゲートアレイ（ＦＰＧＡ）、又は特定用途向け集積回路（ＡＳＩＣ）などの他のプログラマブル論理装置、離散ゲート又はトランジスタロジック、離散ハードウェアコンポーネント、又は本明細書で説明する機能を実行するように設計されたこれらのいずれかの組み合わせで実装し、又はこれらの組み合わせによって実行することができる。プロセッサは、コントローラ、状態機械、又はコンピュータ装置の組み合わせによって実装することができる。
【００２０】
以下で説明する機能及び方法は、ソフトウェアで実装した場合、限定するわけではないが、Ｃ＃、Ｃ＋＋などの適当な言語で書くことができ、ランダムアクセスメモリ（ＲＡＭ）、リードオンリメモリ（ＲＯＭ）、電気的に消去可能プログラム可能リードオンリメモリ（ＥＥＰＲＯＭ）、コンパクトディスクリードオンリメモリ（ＣＤ−ＲＯＭ）、又はデジタル多用途ディスク（ＤＶＤ）などの他の光ディスクストレージ、磁気ディスクストレージ、又は取り外し可能なサムドライブなどを含む他の磁気ストレージ装置などのコンピュータ可読記憶媒体に記憶し、又はこれらを通じて伝送することができる。ある接続は、コンピュータ可読媒体を構築することができる。このような接続は、一例として、光ファイバ、同軸線、デジタル加入者回線（ＤＳＬ）及びツイストペア線を含む有線ケーブルを含むことができる。このような接続は、赤外線及び無線を含む無線通信接続を含むこともできる。
【００２１】
１つの実施形態に含まれるコンポーネントを、他の実施形態においていずれかの適当な組み合わせで使用することもできる。例えば、本明細書において説明する及び／又は図に示す様々なコンポーネントのいずれかは、組み合わせ、置き換え、又は他の実施形態から除外することができる。
【００２２】
「Ａ、Ｂ及びＣのうちの少なくとも１つを有するシステム（同様に、「Ａ、Ｂ又はＣのうちの少なくとも１つを有するシステム」、及び「Ａ、Ｂ、Ｃのうちの少なくとも１つを有するシステム」）」は、Ａのみ、Ｂのみ、Ｃのみ、ＡとＢの両方、ＡとＣの両方、ＢとＣの両方、及び／又はＡとＢとＣ全てなどを有するシステムを含む。
【００２３】
ここで図１を具体的に参照すると、本原理による、上述してさらに以下で説明する、１又は２以上の装置例を含むことができるエコシステム１０の例を示している。システム１０に含まれる第１の装置例は、一次ディスプレイ装置例として構成された消費者電子（ＣＥ）装置であり、図示の実施形態では、限定するわけではないが、（ＴＶを制御するセットトップボックスに相当する）ＴＶチューナを有するインターネット対応ＴＶなどのオーディオビデオディスプレイ装置（ＡＶＤＤ）１２である。しかしながら、ＡＶＤＤ１２は、例えば、コンピュータ化されたインターネット対応冷蔵庫、洗濯機又はドライヤーなどの電化製品又は家庭用品とすることもできる。また、ＡＶＤＤ１２は、例えば、コンピュータ化されたインターネット対応（「スマート」）電話機、タブレットコンピュータ、ノートブックコンピュータ、コンピュータ化されたインターネット対応腕時計などのコンピュータ化されたウェアラブル装置、コンピュータ化されたインターネット対応ブレスレット、その他のコンピュータ化されたインターネット対応装置、コンピュータ化されたインターネット対応音楽プレーヤ、コンピュータ化されたインターネット対応ヘッドホン、埋め込み型皮膚装着装置などのコンピュータ化されたインターネット対応埋め込み型装置などとすることもできる。いずれにせよ、ＡＶＤＤ１２は、本原理を実施する（例えば、他のＣＥ装置と通信して本原理を実施し、本明細書で説明するロジックを実行し、本明細書で説明する他のいずれかの機能及び／又は動作を実行する）ように構成されると理解されたい。
【００２４】
従って、ＡＶＤＤ１２は、このような原理を実施するために、図１に示すコンポーネントの一部又は全部によって構築することができる。例えば、ＡＶＤＤ１２は、高精細又は超高精細「４Ｋ」又はそれよりも高精細なフラットスクリーンによって実装できる、ディスプレイへのタッチを介してユーザ入力信号を受け取るタッチ対応とすることができる１又は２以上のディスプレイ１４を含むことができる。ＡＶＤＤ１２は、本原理に従ってオーディオを出力する１又は２以上のスピーカ１６、及び、例えばＡＶＤＤ１２に可聴コマンドを入力してＡＶＤＤ１２を制御する、オーディオ受信機／マイクなどの少なくとも１つの追加の入力装置１８を含むことができる。ＡＶＤＤ１２の例は、１又は２以上のプロセッサ２４の制御下でインターネット、ＷＡＮ、ＬＡＮなどの少なくとも１つのネットワーク２２を介して通信する１又は２以上のネットワークインターフェイス２０を含むこともできる。従って、インターフェイス２０は、限定するわけではないが、メッシュネットワークトランシーバなどの無線コンピュータネットワークインターフェイスの一例であるＷｉ−Ｆｉトランシーバとすることができる。プロセッサ２４は、画像を提示するようにディスプレイ１４を制御することや、ディスプレイ１４からの入力を受け取ることなどの、本明細書で説明するＡＶＤＤ１２の他の要素を含めて本原理を実施するようにＡＶＤＤ１２を制御すると理解されたい。さらに、ネットワークインターフェイス２０は、例えば、有線又は無線モデム又はルータ、或いは無線電話トランシーバ、又は上述したようなＷｉＦｉトランシーバなどの他の適当なインターフェイスとすることもできる。
【００２５】
ＡＶＤＤ１２は、上述の内容に加えて、（有線接続などを用いて）別のＣＥ装置に物理的に接続するための高品位マルチメディアインターフェイス（ＨＤＭＩ）ポート又はＵＳＢポートなどの１又は２以上の入力ポート２６、及び／又はＡＶＤＤ１２からヘッドホンを通じてユーザに音声を提示できるようにＡＶＤＤ１２にヘッドホンを接続するためのヘッドホンポートを含むこともできる。例えば、入力ポート２６は、有線又は無線を介してオーディオビデオコンテンツのケーブル又は衛星ソース２６ａに接続することができる。従って、ソース２６ａは、例えば独立型又は一体型セットトップボックス、或いは衛星受信機とすることができる。或いは、ソース２６ａは、ユーザが以下でさらに説明するチャネル割り当てのためのお気に入りと見なすことができるコンテンツを含むゲーム機又はディスクプレーヤとすることもできる。
【００２６】
ＡＶＤＤ１２は、場合によってはスタンドアロン装置として、或いはＡＶＤＤのシャーシ内部又は外部のＡＶ番組を再生するためのパーソナルビデオ録画装置（ＰＶＲ）又はビデオディスクプレーヤとしてＡＶＤＤのシャーシ内に具体化された、ディスク型ストレージ又は固体ストレージなどの１又は２以上の有形コンピュータ可読記憶媒体２８をさらに含むことができる。また、いくつかの実施形態では、ＡＶＤＤ１２が、以下に限定するわけではないが、例えば、少なくとも１つの衛星又は携帯電話タワーから地理的位置情報を受け取ってこの情報をプロセッサ２４に提供するように構成された、及び／又はＡＶＤＤ１２が配置されている高度をプロセッサ２４と協働して特定するように構成された、携帯電話受信機、ＧＰＳ受信機及び／又は高度計３０などの位置又は場所受信機を含むこともできる。しかしながら、本原理に従って携帯電話受信機、ＧＰＳ受信機及び／又は高度計以外の別の好適な位置受信機を用いて、例えば３次元全てでＡＶＤＤ１２の場所を特定することもできると理解されたい。
【００２７】
ＡＶＤＤ１２の説明を続けると、いくつかの実施形態では、ＡＶＤＤ１２が、例えば熱探知カメラ、ウェブカメラなどのデジタルカメラ、及び／又はＡＶＤＤ１２に一体化され、本原理に従って写真／画像及び／又はビデオを収集するようにプロセッサ２４によって制御可能なカメラとすることができる１又は２以上のカメラ３２を含むこともできる。ＡＶＤＤ１２は、Ｂｌｕｅｔｏｏｔｈ及び／又は近距離無線通信（ＮＦＣ）技術をそれぞれ用いて他の装置と通信するＢｌｕｅｔｏｏｔｈトランシーバ３４及びその他のＮＦＣ要素３６を含むこともできる。ＮＦＣ要素の例としては、無線周波数識別（ＲＦＩＤ）要素を挙げることができる。
【００２８】
さらに、ＡＶＤＤ１２は、プロセッサ２４に入力を提供する１又は２以上の補助センサ３７（例えば、加速度計、ジャイロスコープ、車輪回転記録器、磁気センサ、赤外線（ＩＲ）センサ、光学センサ、速度及び／又は歩調センサ、（ジェスチャコマンドなどを感知するための）ジェスチャセンサなどのモーションセンサ）を含むこともできる。ＡＶＤＤ１２は、プロセッサ２４に入力を提供するＯＴＨ  ＴＶ放送を受信する無線ＴＶ放送ポート３８を含むこともできる。上述の内容に加え、ＡＶＤＤ１２は、ＩＲデータ通信協会（ＩＲＤＡ）装置などの赤外線（ＩＲ）送信機及び／又はＩＲ受信機及び／又はＩＲトランシーバ４２を含むこともできる。ＡＶＤＤ１２に給電を行うバッテリ（図示せず）を提供することもできる。
【００２９】
引き続き図１を参照すると、システム１０は、ＡＶＤＤ１２に加えて、１又は２以上の他のＣＥ装置タイプを含むことができる。一例では、後述するサーバを通じて送信されるコマンドを介してディスプレイを制御するために第１のＣＥ装置４４を使用することができ、また第２のＣＥ装置４６は、第１のＣＥ装置４４と同様のコンポーネントを含むことができ、従って詳細には説明しない。図示の例では、２つのＣＥ装置４４、４６しか示していないが、これより少ない又は多くの装置を使用することもできると理解されたい。
【００３０】
図示の例では、本原理を説明するために、３つの装置１２、４４、４６全てが、例えば家庭内のエンターテイメントネットワークのメンバであり、或いは家庭などの場所において少なくとも互いに近くに存在すると仮定する。しかしながら、本原理は、別途明確に主張していない限り、点線４８によって示す特定の場所に限定されるものではない。
【００３１】
非限定的な第１のＣＥ装置４４の例は、例えばポータブル無線ラップトップコンピュータ又はノートブックコンピュータなどの上述した装置のうちのいずれか１つによって構築することができ、従って後述するコンポーネントのうちの１つ又は２つ以上を有することができる。第２のＣＥ装置４６は、限定するわけではないが、Ｂｌｕ−ｒａｙプレーヤ及びゲーム機などのビデオディスクプレーヤによって構築することができる。第１のＣＥ装置４４は、例えばＡＶＤＤ１２にＡＶ再生コマンド及び一時停止コマンドを発行する遠隔制御装置（ＲＣ）とすることができ、或いはタブレットコンピュータ、無線電話機などのさらなる高機能装置とすることもできる。
【００３２】
従って、第１のＣＥ装置４４は、ディスプレイへのタッチを介してユーザ入力信号を受け取るようにタッチ式とすることができる１又は２以上のディスプレイ５０を含むことができる。第１のＣＥ装置４４は、本原理に従ってオーディオを出力する１又は２以上のスピーカ５２、及び、例えば第１のＣＥ装置４４に可聴コマンドを入力して装置４４を制御する、オーディオ受信機／マイクなどの少なくとも１つの追加の入力装置５４を含むことができる。第１のＣＥ装置４４の例は、１又は２以上のＣＥ装置プロセッサ５８の制御下でネットワーク２２を介して通信を行うための１又は２以上のネットワークインターフェイス５６を含むこともできる。従って、インターフェイス５６は、限定するわけではないが、無線コンピュータネットワークインターフェイスの一例である、メッシュネットワークインターフェイスを含むＷｉ−Ｆｉトランシーバとすることができる。プロセッサ５８は、画像を提示するようにディスプレイ５０を制御することや、ディスプレイ５０からの入力を受け取ることなどの、本明細書で説明する第１のＣＥ装置４４の他の要素を含めて本原理を実施するように第１のＣＥ装置４４を制御すると理解されたい。さらに、ネットワークインターフェイス５６は、例えば有線又は無線モデム又はルータ、或いは無線電話トランシーバ、又は上述したＷｉ−Ｆｉトランシーバなどの他の適当なインターフェイスとすることもできる。
【００３３】
第１のＣＥ装置４４は、上述の内容に加えて、（有線接続などを用いて）別のＣＥ装置に物理的に接続するためのＨＤＭＩポート又はＵＳＢポートなどの１又は２以上の入力ポート６０、及び／又は第１のＣＥ装置４４からヘッドホンを通じてユーザに音声を提示できるように第１のＣＥ装置４４にヘッドホンを接続するためのヘッドホンポートを含むこともできる。第１のＣＥ装置４４は、ディスク型ストレージ又は固体ストレージなどの１又は２以上の有形コンピュータ可読記憶媒体６２をさらに含むことができる。また、いくつかの実施形態では、第１のＣＥ装置４４が、以下に限定するわけではないが、例えば、少なくとも１つの衛星及び／又は携帯電話タワーから三角測量法を用いて地理的位置情報を受け取ってこの情報をＣＥ装置プロセッサ５８に提供するように構成された、及び／又はＣＥ装置４４が配置されている高度をＣＥ装置プロセッサ５８と協働して特定するように構成された、携帯電話受信機及び／又はＧＰＳ受信機及び／又は高度計６４などの位置又は場所受信機を含むこともできる。しかしながら、本原理に従って携帯電話受信機及び／又はＧＰＳ受信機及び／又は高度計以外の別の好適な位置受信機を用いて、例えば第１のＣＥ装置の場所を例えば３次元全てにおいて特定することもできると理解されたい。
【００３４】
第１のＣＥ装置４４の説明を続けると、いくつかの実施形態では、第１のＣＥ装置４４が、例えば、熱探知カメラ、ウェブカメラなどのデジタルカメラ、及び／又は第１のＣＥ装置４４に一体化され、本原理に従って写真／画像及び／又はビデオを収集するようにＣＥ装置プロセッサ５８によって制御可能なカメラとすることができる１又は２以上のカメラ３２を含むこともできる。第１のＣＥ装置４４は、Ｂｌｕｅｔｏｏｔｈ及び／又は近距離無線通信（ＮＦＣ）技術をそれぞれ用いて他の装置と通信するＢｌｕｅｔｏｏｔｈトランシーバ６８及びその他のＮＦＣ要素７０を含むこともできる。ＮＦＣ要素の例としては、無線周波数識別（ＲＦＩＤ）要素を挙げることができる。
【００３５】
さらに、第１のＣＥ装置４４は、ＣＥ装置プロセッサ５８に入力を提供する１又は２以上の補助センサ７２（例えば、加速度計、ジャイロスコープ、車輪回転記録器、磁気センサ、赤外線（ＩＲ）センサ、光学センサ、速度及び／又は歩調センサ、（ジェスチャコマンドなどを感知するための）ジェスチャセンサなどのモーションセンサ）を含むこともできる。第１のＣＥ装置４４は、ＣＥ装置プロセッサ５８に入力を提供する１又は２以上の気候センサ７４（例えば、気圧計、湿度センサ、風力センサ、光センサ、温度センサなど）及び／又は１又は２以上の生体センサ７６などのさらに他のセンサを含むこともできる。上述の内容に加え、いくつかの実施形態では、第１のＣＥ装置４４が、ＩＲデータ通信協会（ＩＲＤＡ）装置などの赤外線（ＩＲ）送信機及び／又はＩＲ受信機及び／又はＩＲトランシーバ４２を含むこともできる。第１のＣＥ装置４４に給電を行うバッテリ（図示せず）を提供することもできる。ＣＥ装置４４は、上述した通信モード及び関連するコンポーネントのうちのいずれかを通じてＡＶＤＤ１２と通信することができる。
【００３６】
第２のＣＥ装置４６は、ＣＥ装置４４について示したコンポーネントの一部又は全部を含むことができる。
【００３７】
ここで、上述した少なくとも１つのサーバ８０を参照すると、このサーバ８０は、少なくとも１つのサーバプロセッサ８２と、ディスク型ストレージ又は固体ストレージなどの、搬送波でなくてもよい少なくとも１つの有形コンピュータ可読記憶媒体８４と、サーバプロセッサ８２の制御下でネットワーク２２を介して図１の他の装置と通信することを可能にし、実際には本原理に従ってサーバとクライアント装置との間の通信を容易にすることができる少なくとも１つのネットワークインターフェイス８６とを含む。なお、ネットワークインターフェイス８６は、例えば、有線又は無線モデム又はルータ、ＷｉＦｉトランシーバ、或いは無線電話トランシーバなどの他の適当なインターフェイスとすることもできる。
【００３８】
従って、いくつかの実施形態では、サーバ８０をインターネットサーバとすることができ、またサーバ８０は、実施形態例ではシステム１０の装置がサーバ８０を介して「クラウド」環境にアクセスするように、「クラウド」機能を含んでこの機能を実行することができる。或いは、図１に示す他の装置と同じ室内の、又は近くのゲーム機又は他のコンピュータによってサーバ８０を実装することもできる。
【００３９】
次に図２を参照すると、ブロック１００において、ＡＶＤＤ１２などの装置が、複数のシーンを含むコンテンツを受け取る。ブロック１０２において、シーンに関する筋書き情報を表す、ディスプレイ１４上に英数字形式で提示できるデータをコンテンツの１又は２以上のシーンと共に必要に応じてＡＶＤＤ１２に配信するためのユーザコマンドに応答して、そのように実行する。筋書き情報データは、コンテンツと共に配信することができ、ブロードキャストストリームの垂直帰線消去期間（ＶＢＩ）、パケット化ビデオデータのパケットヘッダなどの、データが記述するコンテンツを伴うコンテンツストリームにキー入力することができる。このようにして、コンテンツの異なるシーン毎に、これらのそれぞれのシーンに関連する筋書き情報を必要に応じてディスプレイ上に提示することができる。
【００４０】
筋書き情報をビデオ上にオーバーレイさせるためのユーザコマンドは、例えばＡＶＤＤ１２の遠隔制御装置（ＲＣ）として実装される第２のＣＥ装置４６上の「情報」キーのダブルトグルとすることができる。このダブルトグルは、所定の期間内に情報キーを２回操作することによって確立することができる。「情報」ボタンをシングルトグルすると、番組全体の全体的な説明を提示させることができるのに対し、図３に、ビデオ１０６が実質的にディスプレイ画面全体を占め、番組全体ではなく表示シーンに特化した筋書き情報１０８が提示されるディスプレイ１４のスクリーンショット１０４例をダブルトグルコマンドに応答して提示できることを示す。
【００４１】
従って、筋書き情報１０８は、番組内でこれまで（すなわち、現在のシーンまで）に起きた出来事を要約できるものであり、その後のシーンで起きる出来事を語ることによって番組を「台無し」にしてしまうものではない。従って、筋書き情報１０８は、単なる番組全体の一般的概要ではなく、むしろ番組内で何が繰り広げられているかを視聴者がより良く理解する助けとなる、表示中のシーンに関する特定の手掛かりである。また、筋書き情報１０８は、番組全体を通じて変化しない番組全体の一般的概要とは異なり、番組中のシーン毎に変化する。
【００４２】
図３に示す全体的シーン情報に加えて、さらに詳細なシーン情報を提供することもできる。これを図４に示す。このようなさらに詳細なシーン情報は、例えば所定の期間内にＲＣ上の情報キーを３回操作することによって生成されたユーザコマンドに応答して提示することができる。
【００４３】
図４に示すように、ディスプレイ１４のスクリーンショット１００は、このさらに詳細な情報コマンドがどのように構築された場合でも、このコマンドに応答して、登場人物のリスト１１４がオーバーレイされたシーンビデオ１１２が実質的にフルスクリーンで提示されることを示す。リスト内の登場人物は、現在のシーンに登場している登場人物とすることができ、番組内の他の登場人物は現在のシーンのリスト１１４内に表示されないようにすることができる。視聴者は、ＲＣを操作してリスト上のセレクタ１１６を動かして登場人物のうちの所望の１人を選択することができ、これに応答して、選択された登場人物について説明するさらに一層詳細な情報を提示することができる。シーン情報１１８は、リスト１１４の下方に表示される。
【００４４】
従って、本原理は、筋書き及びストーリーの理解しやすさ及び認知的把握に関連し、認知的問題を抱えている人々のみならず、筋書きの理解に苦労する「正常な」人々にも有用であり得ると認識する。クローズドキャプションデータと同様に、各シーンに関するシーン情報を送信する。本明細書に示す例では、刑事であるマットとジョンが、殺人について質問するためにメアリーの居所を探し出そうとしている。マットとジョンに聞かれ、バーテンダーがメアリーについて語った。バーテンダーの話では、殺害が起きた時にメアリーが居て、発砲の直前に殺人者に話し掛けていたとのことである。図３に示すシーンでは、マットとジョンがメアリーの家のドアをノックしている。しかし、メアリーは不在のようである。
【００４５】
次に、図４に示すシーンでは、メアリーと浮気していたと思われる、小さなハイテク企業のＣＥＯのジム・スチュワートが被害者であることがシーン情報によって示されている。
【００４６】
いずれの場合においても、シーン情報は、今後のシーンにおける行動を暴露して番組を台無しにしてしまうものではく、視聴者が番組又は映画に再び引き込まれ、又は引き込まれたままにするものである。
【００４７】
１つの例では、一連の各シーンに挿入されるいわゆる「６０８／７０８」記述データを用いてシーン情報を配信することができる。ＩＰストリームでは、時間指定したテキストトラックを用いて時間指定されたデータを配信し、視聴者が必要に応じてこれを表示することができる。
【００４８】
上記の方法は、プロセッサ、好適に構成された特定用途向け集積回路（ＡＳＩＣ）又はフィールドプログラマブルゲートアレイ（ＦＰＧＡ）モジュールによって実行されるソフトウェア命令として、或いは当業者が理解すると思われる他のいずれかの便利な形として実装することができる。ソフトウェア命令は、使用する場合、ＣＤ  ＲＯＭ又はフラッシュドライブなどの非一時的装置内で具体化することができる。ソフトウェアコード命令は、無線信号又は光信号などの一時的構成において、或いはインターネットを介したダウンロードを通じて具体化することもできる。
【００４９】
いくつかの実施形態例を参照しながら本原理について説明したが、これらの実施形態は、限定的であることを意図したものではなく、本明細書において特許請求する主題は、様々な別の構成を用いて実装することもできると理解されるであろう。
【符号の説明】
【００５０】
１４  一次ディスプレイ
１６  スピーカ
１８  入力装置
２０  ネットワークインターフェイス
２２  ネットワーク
２４  プロセッサ
２６  ポート
２６ａ  ケーブル又は衛星ソース
２８  媒体
３２  カメラ
３６  近距離無線通信要素
３７  補助センサ
４２  赤外線
４６  消費者電子装置
５０  消費者電子装置
５２  スピーカ
５４  入力装置
５６  ネットワークインターフェイス
５８  プロセッサ
６０  ポート
６２  媒体
６６  カメラ
７０  近距離無線通信要素
７２  補助センサ
７４  気候センサ
７６  生体センサ
７８  赤外線
８２  プロセッサ
８４  媒体
８６  ネットワークインターフェイス
【図１】
0006410067.tif 000002
【図２】
0006410067.tif 000003
【図３】
0006410067.tif 000004
【図４】
0006410067.tif 000005